(57)【特許請求の範囲】
【請求項１】
複数の電子機器のうちの第１の電子機器とデバイスとを接続する接続部と、
前記第１の電子機器から出力された映像信号をディスプレイに表示する表示制御部と、
前記映像信号の出力が前記複数の電子機器のうちの前記第１の電子機器から第２の電子機器に切り替わったときに、前記第２の電子機器からの前記映像信号が安定するか否かを判定する判定部と、
前記第２の電子機器からの前記映像信号が安定した場合に、前記デバイスとの接続が前記第１の電子機器から前記第２の電子機器に切り替わるように前記接続部を制御する切替制御部と、
を具備し、
前記判定部は、前記第２の電子機器からの前記映像信号のフレームレートを確認した場合に、前記第２の電子機器からの前記映像信号が安定したものと判定することを特徴とする切替機能付き映像信号処理装置。
【請求項２】
前記デバイスは、ＵＳＢ信号により動作し、
前記切替制御部は、前記第２の電子機器からの前記映像信号が安定するまで前記デバイスに対する前記ＵＳＢ信号の出力が停止し、前記第２の電子機器からの前記映像信号が安定した場合に前記デバイスに前記ＵＳＢ信号が出力されるように前記接続部を制御することを特徴とする請求項１に記載の切替機能付き映像信号処理装置。
【請求項３】
前記切替制御部は、前記第２の電子機器からの前記映像信号が安定するまで前記デバイスの電源がオフし、前記第２の電子機器からの前記映像信号が安定した場合に前記デバイスの電源がオンするように前記接続部を制御することを特徴とする請求項２に記載の切替機能付き映像信号処理装置。
【請求項４】
前記デバイスはタッチパネルを含むことを特徴とする請求項２または３に記載の切替機能付き映像信号処理装置。
【請求項５】
複数の電子機器と、
前記複数の電子機器とデバイスとの間に設けられた切替機能付き映像信号処理装置と、
を具備し、
前記切替機能付き映像信号処理装置は、
前記複数の電子機器のうちの第１の電子機器と前記デバイスとを接続する接続部と、
前記第１の電子機器から出力された映像信号をディスプレイに表示する表示制御部と、
前記映像信号の出力が前記複数の電子機器のうちの前記第１の電子機器から第２の電子機器に切り替わったとき、前記第２の電子機器からの前記映像信号が安定するか否かを判定する判定部と、
前記第２の電子機器からの前記映像信号が安定した場合に、前記デバイスとの接続が前記第１の電子機器から前記第２の電子機器に切り替わるように前記接続部を制御する切替制御部と、
を具備し、
前記判定部は、前記第２の電子機器からの前記映像信号のフレームレートを確認した場合に、前記第２の電子機器からの前記映像信号が安定したものと判定することを特徴とする切替機能付き映像信号処理システム。
【発明の詳細な説明】
【技術分野】
【０００１】
本発明は、複数の電子機器を切り替えて１つのタッチパネルディスプレイ装置を使用する切替機能付き映像信号処理装置などに関する。
【背景技術】
【０００２】
複数の電子機器を切り替えて１つの液晶ディスプレイ（ＬＣＤ；Liquid Crystal Display）を使用する装置が開示されている（例えば、特許文献１）。特許文献１に記載された装置は、複数の電子機器（例えば、パーソナルコンピュータ）のうちの第１の電子機器からの映像信号の入力を検出した場合、第１の電子機器とＬＣＤとを接続することにより、第１の電子機器からの映像信号がＬＣＤに表示される。また、特許文献１に記載された装置は、ＬＣＤの接続を、複数の電子機器のうちの第１の電子機器から第２の電子機器に切り替える場合、第１の電子機器からの映像信号の入力断を検出して、第２の電子機器からの映像信号の入力を検出する。この場合、特許文献１に記載された装置は、第２の電子機器とＬＣＤとを接続することにより、第２の電子機器からの映像信号がＬＣＤに表示される。
【０００３】
表示装置が、タッチパネルとＬＣＤとを備えたタッチパネルディスプレイ装置である場合、電子機器がタッチパネルを動作させるためのタッチパネル信号が、電子機器からのＵＳＢ（Universal Serial Bus）信号として、タッチパネルに出力される。
【先行技術文献】
【特許文献】
【０００４】
【特許文献１】特開２０１１−１００２３１号公報
【発明の概要】
【発明が解決しようとする課題】
【０００５】
しかしながら、タッチパネルディスプレイ装置では、ＬＣＤとタッチパネルは別デバイスとして使用される。そのため、ホスト側である複数の電子機器のうちの第１の電子機器から第２の電子機器に切り替えて、デバイス側である１つのタッチパネルディスプレイ装置を使用するときに、デバイス側（特に、タッチパネル）の準備ができていないため、デバイス側が正常に動作しない場合がある。
【０００６】
例えば、複数の電子機器のうちの第１の電子機器とデバイス（タッチパネルおよびＬＣＤ）とが接続されることにより、第１の電子機器からの映像信号がＬＣＤに表示され、第１の電子機器からタッチパネル信号がＵＳＢ信号としてタッチパネルに出力される。タッチパネルは、そのＵＳＢ信号により動作する。ここで、デバイス（タッチパネルおよびＬＣＤ）の接続を、複数の電子機器のうちの第１の電子機器から第２の電子機器に切り替える。このとき、タッチパネルが第２の電子機器からのタッチパネル信号（ＵＳＢ信号）を受け付ける準備ができていないため、タッチパネルが正常に動作しないという問題が生じる。
【０００７】
ＵＳＢの規格では、ホストが1台で複数のデバイスを制御する規格となっている。そのため、複数のホストから複数のデバイスを制御するためにはホスト側の切替処理が必要である。デバイス側が認識できない状態で急にホストが入れ替わるとシステムが混乱し、正常に初期化できないことがあり得る。
【０００８】
本発明は、上記従来の問題点に鑑みてなされたものであって、複数の電子機器のうちの１つの電子機器とデバイスとを接続する際に、デバイスが正常に動作するように複数の電子機器を切り替えることができる切替機能付き映像信号処理装置などを提供することを目的とする。
【課題を解決するための手段】
【０００９】
本発明の切替機能付き映像信号処理装置は、複数の電子機器のうちの第１の電子機器とデバイスとを接続する接続部と、前記第１の電子機器から出力された映像信号をディスプレイに表示する表示制御部と、前記映像信号の出力が前記複数の電子機器のうちの前記第１の電子機器から第２の電子機器に切り替わったときに、前記第２の電子機器からの前記映像信号が安定するか否かを判定する判定部と、前記第２の電子機器からの前記映像信号が安定した場合に、前記デバイスとの接続が前記第１の電子機器から前記第２の電子機器に切り替わるように前記接続部を制御する切替制御部と、を具備することを特徴とする。
【００１０】
本発明の切替機能付き映像信号処理システムは、複数の電子機器と、前記複数の電子機器とデバイスとの間に設けられた切替機能付き映像信号処理装置と、を具備し、前記切替機能付き映像信号処理装置は、前記複数の電子機器のうちの第１の電子機器とデバイスとを接続する接続部と、前記第１の電子機器から出力された映像信号をディスプレイに表示する表示制御部と、前記映像信号の出力が前記複数の電子機器のうちの前記第１の電子機器から第２の電子機器に切り替わったとき、前記第２の電子機器からの前記映像信号が安定するか否かを判定する判定部と、前記第２の電子機器からの前記映像信号が安定した場合に、前記デバイスとの接続が前記第１の電子機器から前記第２の電子機器に切り替わるように前記接続部を制御する切替制御部と、を具備することを特徴とする。
【発明の効果】
【００１１】
本発明では、複数の電子機器のうちの１つの電子機器とデバイスとを接続する際に、デバイスが正常に動作するように複数の電子機器を切り替えることができる。
【図面の簡単な説明】
【００１２】
【図１】従来のシステムの概略を説明するための図である。
【図２】第１実施形態に係る切替機能付き映像信号処理システムの概略を説明するための図である。
【図３】第１実施形態に係る切替機能付き映像信号処理システムの構成を示すブロック図である。
【図４】第１実施形態に係る切替機能付き映像信号処理システムの動作として、映像入力切替処理を示すフローチャートである。
【図５】第２実施形態に係る切替機能付き映像信号処理システムの構成を示すブロック図である。
【図６】第２実施形態に係る切替機能付き映像信号処理システムの動作として、映像入力切替処理を示すフローチャートである。
【図７】第３実施形態に係る切替機能付き映像信号処理システムの動作として、映像入力切替処理を示すフローチャートである。
【発明を実施するための形態】
【００１３】
以下に、本発明の実施の形態について、図を参照しながら詳細に説明する。以下の説明では、本発明の切替機能付き映像信号処理システムを例に説明する。なお、本実施形態は、本発明を説明するための一例であり、実施形態の内容に限定されないことは勿論である。
【００１４】
［１．  第１実施形態］
まず、第１実施形態について説明する。第１実施形態では、映像信号の出力が複数の電子機器のうちの第１の電子機器から第２の電子機器に切り替わったときに、第２の電子機器からの映像信号が安定するか否かを判定し、第２の電子機器からの映像信号が安定した場合に、デバイスとの接続を第１の電子機器から第２の電子機器に切り替える。第１実施形態において、第２の電子機器からの映像信号が安定した場合とは、第２の電子機器から出力され、かつ、ディスプレイに表示するための映像信号が安定した場合である。
【００１５】
［１．１  概略］
図１は、従来のシステムの概略を説明するための図である。従来のシステムは、複数の電子機器１０００と、タッチパネル２００４と、液晶ディスプレイ（ＬＣＤ；Liquid Crystal Display）２００６と、映像信号処理基板３０００とを具備している。映像信号処理基板３０００は、映像信号の出力が複数の電子機器１０００のうちの第１の電子機器から第２の電子機器に切り替わったときに、デバイス（タッチパネル２００４、ＬＣＤ２００６）との接続を第１の電子機器から第２の電子機器に切り替える。すなわち、映像信号の出力が複数の電子機器１０００のうちの第１の電子機器から第２の電子機器に切り替わったときに、第２の電子機器は、映像信号処理基板３０００を介して映像信号をＬＣＤ２００６に表示し、タッチパネル信号をＵＳＢ信号としてタッチパネルに出力する。
【００１６】
しかしながら、従来のシステムでは、１つの電子機器からの映像信号が安定するか否かに関わらず、タッチパネル信号がＵＳＢ信号としてタッチパネルに出力される。１つの電子機器でタッチパネル２００４を利用する際には問題が発生しにくいが、複数の電子機器１０００に接続する構成の場合、わざわざタッチパネル信号を切り替える必要がある。また、ホスト側である複数の電子機器１０００のうちの第１の電子機器から第２の電子機器に切り替えて、デバイス側である１つのタッチパネルディスプレイ装置（ＬＣＤ２００６とタッチパネル２００４）を使用するときに、ホストを瞬時に切替えるとデバイス側（特に、タッチパネル２００４）の準備ができていない時に、デバイス側が正常に動作しない場合がある。電気的スイッチでただ信号を切り替えるだけでは、電子機器の状態が分からず、正常動作しない可能性がある。
【００１７】
図２は、第１実施形態に係る切替機能付き映像信号処理システムの概略を説明するための図である。第１実施形態に係る切替機能付き映像信号処理システムは、複数の電子機器１００と、タッチパネル２０４と、ＬＣＤ２０６と、切替機能付き映像信号処理基板３００とを具備している。切替機能付き映像信号処理基板３００は、映像信号の出力が複数の電子機器１００のうちの第１の電子機器から第２の電子機器に切り替わったときに、第２の電子機器からの映像信号が安定するか否かを判定し、第２の電子機器からの映像信号が安定した場合に、デバイス（タッチパネル２０４、ＬＣＤ２０６）との接続を第１の電子機器から第２の電子機器に切り替える。例えば、切替機能付き映像信号処理基板３００上で解像度とフレームレートとが確認された場合に、第２の電子機器からの映像信号が安定している。この場合、切替機能付き映像信号処理基板３００は、デバイス（タッチパネル２０４、ＬＣＤ２０６）との接続を第１の電子機器から第２の電子機器に切り替える。このとき、第２の電子機器は、切替機能付き映像信号処理基板３００を介して映像信号をＬＣＤ２０６に表示し、切替機能付き映像信号処理基板３００を介してタッチパネル信号をＵＳＢ信号としてタッチパネルに出力する。
【００１８】
ここで、第１実施形態に係る切替機能付き映像信号処理システムでは、１つの電子機器からの映像信号が安定したことを切替機能付き映像信号処理基板３００が確認した場合に、タッチパネル信号がＵＳＢ信号としてタッチパネルに出力される。このため、ホスト側である複数の電子機器１００のうちの第１の電子機器から第２の電子機器に切り替えて、デバイス側である１つのタッチパネルディスプレイ装置（ＬＣＤ２０６とタッチパネル２０４）を使用するときに、デバイス側（特に、タッチパネル２０４）の準備ができているため、デバイス側が正常に動作する。
【００１９】
［１．２  全体構成］
まず、全体構成について図３を参照して説明する。図３は、第１実施形態に係る切替機能付き映像信号処理システムの構成を示すブロック図である。第１実施形態に係る切替機能付き映像信号処理システムは、複数の電子機器１００と、切替機能付き映像信号処理装置４００と、タッチペン２０２とを具備している。
【００２０】
［１．３  機能構成］
続いて、各装置の機能構成について図を参照して説明する。
【００２１】
［１．３．１  電子機器１００］
複数の電子機器１００は、ホストとして使用される。例えば、図３では、複数の電子機器１００として、パーソナルコンピュータや、テレビ受像機に接続して使用する電子機器などが挙げられる。テレビ受像機に接続して使用する電子機器としては、ＳＴＢ（Set-top box）などのコントローラが組み込まれた機器が例示される。
【００２２】
本実施形態では、複数の電子機器１００を、それぞれ、ＳＴＢ１０２などのコントローラが組み込まれた電子機器、パーソナルコンピュータ（以下、ＰＣ）１０４、ＰＣ１０６とする。コントローラ（ＳＴＢ１０２）が組み込まれた電子機器、ＰＣ１０４、ＰＣ１０６の各々は、リモートコントローラなどの操作により自身が対象の電子機器である場合に、タッチパネル信号ＳＩＧＴＰ、電圧ＶＢＵＳ、映像信号ＳＩＧＡＶを、切替機能付き映像信号処理装置４００に出力する。
【００２３】
［１．３．２  切替機能付き映像信号処理装置４００］
切替機能付き映像信号処理装置４００は、ドングル４０２と、タッチパネルコントローラ４０４と、ＬＣＤタイミングコントローラ４０６と、切替機能付き映像信号処理基板３００と、タッチパネル２０４と、ＬＣＤ２０６とを備えている。タッチパネルコントローラ４０４、ＬＣＤタイミングコントローラ４０６は、それぞれ別基板に設けられている。切替機能付き映像信号処理基板３００では、例えば対象の電子機器がＰＣ１０４からＰＣ１０６に切り替えられて、ＰＣ１０６からの映像信号ＳＩＧＡＶが安定した場合に、ＰＣ１０６からのタッチパネル信号ＳＩＧＴＰがＵＳＢ信号としてドングル４０２、タッチパネルコントローラ４０４に出力され、ＰＣ１０６からの映像信号ＳＩＧＡＶがＬＣＤタイミングコントローラ４０６に出力される。
【００２４】
ドングル４０２は、切替機能付き映像信号処理基板３００からのＵＳＢ信号および電圧により、Ｂｌｕｅｔｏｏｔｈ（登録商標）やＺｉｇＢｅｅのような近距離無線通信をタッチペン２０２と行なう。
【００２５】
タッチパネルコントローラ４０４は、切替機能付き映像信号処理基板３００からのＵＳＢ信号および電圧により動作するように、タッチパネル２０４を制御する。
【００２６】
ＬＣＤタイミングコントローラ４０６は、切替機能付き映像信号処理基板３００からの映像信号ＳＩＧＡＶが表示されるように、ＬＣＤ２０６を制御する。
【００２７】
［１．３．２．１  デバイス２００］
タッチペン２０２、タッチパネル２０４、ＬＣＤ２０６は、ホストに対するデバイス２００として使用される。タッチパネル２０４とＬＣＤ２０６とは、タッチパネルディスプレイを構成するモジュールである。ここで、タッチペン２０２、タッチパネル２０４と、表示部分であるＬＣＤ２０６とを区別するために、以下の説明では、タッチペン２０２、タッチパネル２０４を、単にデバイス２００、または、デバイス側と称する。
【００２８】
［１．３．２．２  切替機能付き映像信号処理基板３００］
切替機能付き映像信号処理基板３００は、ＵＳＢスイッチ３０２と、ダイオードＯＲ回路３０４と、スケーラー３０６と、ＲＡＭ（Random Access Memory）３０８と、ＲＯＭ（Read Only Memory）３１０と、ＵＳＢハブ３１２と、電圧出力スイッチ部ＨＳＷ１、ＨＳＷ２とを備えている。
【００２９】
ＲＯＭ３１０は、切替機能付き映像信号処理基板３００の各種機能の動作に必要な各種プログラムや、各種データが記憶されている機能部である。切替機能付き映像信号処理基板３００は、更に、図示しないＣＰＵ（Central Processing Unit）を備え、ＣＰＵは、ＲＯＭ３１０に記憶されている各種プログラムを読み出して実行することにより、切替機能付き映像信号処理基板３００の各種機能を実現する。
【００３０】
スケーラー３０６は、ＣＰＵに内蔵されている。ＲＡＭ３０８は、スケーラー３０６が受け取った映像信号ＳＩＧＡＶを一時的に記憶する。
【００３１】
スケーラー３０６は、選択信号ＵＳＢＳＥＬをＵＳＢスイッチ３０２に出力し、電圧出力許可信号ＵＳＢＰＯＷ１をダイオードＯＲ回路３０４に出力し、電圧出力許可信号ＵＳＢＰＯＷ０を電圧出力スイッチ部ＨＳＷ１、ＨＳＷ２に出力する。
【００３２】
選択信号ＵＳＢＳＥＬは、２ビットにより、スケーラー３０６が映像信号ＳＩＧＡＶを受け取った電子機器を表している。例えば、選択信号ＵＳＢＳＥＬが「００」である場合、スケーラー３０６が映像信号ＳＩＧＡＶを受け取った電子機器が、ＳＴＢ１０２組み込みの電子機器であることを表している。選択信号ＵＳＢＳＥＬが「０１」である場合、スケーラー３０６が映像信号ＳＩＧＡＶを受け取った電子機器がＰＣ１０４であることを表している。選択信号ＵＳＢＳＥＬが「１０」である場合、スケーラー３０６が映像信号ＳＩＧＡＶを受け取った電子機器がＰＣ１０６であることを表している。選択信号ＵＳＢＳＥＬが「１１」である場合、オープン状態であることを表している。
【００３３】
電圧出力許可信号ＵＳＢＰＯＷ１は、１ビットにより、オン、オフの状態を表している。例えば、電圧出力許可信号ＵＳＢＰＯＷ１が「０」である場合、オフを表している。電圧出力許可信号ＵＳＢＰＯＷ１が「１」である場合、オンを表している。
【００３４】
電圧出力許可信号ＵＳＢＰＯＷ０は、１ビットにより、オン、オフの状態を表している。例えば、電圧出力許可信号ＵＳＢＰＯＷ０が「０」である場合、オフを表している。電圧出力許可信号ＵＳＢＰＯＷ０が「１」である場合、オンを表している。
【００３５】
スケーラー３０６は、例えば対象の電子機器がＰＣ１０４からＰＣ１０６に切り替えられた場合、オープン状態を表す選択信号ＵＳＢＳＥＬ「１１」をＵＳＢスイッチ３０２に出力し、オフを表す電圧出力許可信号ＵＳＢＰＯＷ１「０」をダイオードＯＲ回路３０４に出力し、オフを表す電圧出力許可信号ＵＳＢＰＯＷ０「０」を電圧出力スイッチ部ＨＳＷ１、ＨＳＷ２に出力する。
【００３６】
スケーラー３０６は、ＰＣ１０６から映像信号ＳＩＧＡＶを入力し、ＰＣ１０６からの映像信号ＳＩＧＡＶの解像度とフレームレートとの少なくとも１つを確認した場合に、ＰＣ１０６からの映像信号ＳＩＧＡＶが安定したものと判定する。スケーラー３０６は、ＰＣ１０６からの映像信号ＳＩＧＡＶが安定したことを確認した場合に、切替対象の電子機器としてＰＣ１０６を表す選択信号ＵＳＢＳＥＬ「１０」をＵＳＢスイッチ３０２に出力し、オンを表す電圧出力許可信号ＵＳＢＰＯＷ１「１」をダイオードＯＲ回路３０４に出力し、オンを表す電圧出力許可信号ＵＳＢＰＯＷ０「１」を電圧出力スイッチ部ＨＳＷ１、ＨＳＷ２に出力し、ＰＣ１０６からの映像信号ＳＩＧＡＶをＬＣＤタイミングコントローラ４０６に出力する。
【００３７】
ダイオードＯＲ回路３０４は、電圧検出信号ＶＢＵＳＤＥＴをＵＳＢハブ３１２に出力する。電圧検出信号ＶＢＵＳＤＥＴは、１ビットにより、オン、オフの状態を表している。例えば、電圧検出信号ＶＢＵＳＤＥＴが「０」である場合、オフを表している。電圧検出信号ＶＢＵＳＤＥＴが「１」である場合、オンを表している。
【００３８】
ダイオードＯＲ回路３０４は、オフを表す電圧出力許可信号ＵＳＢＰＯＷ１「０」をスケーラー３０６から受け取った場合、オフを表す電圧検出信号ＶＢＵＳＤＥＴ「０」をＵＳＢハブ３１２に出力する。
【００３９】
ダイオードＯＲ回路３０４は、オンを表す電圧出力許可信号ＵＳＢＰＯＷ１「１」をスケーラー３０６から受け取り、かつ、切替対象の電子機器（例えばＰＣ１０６）から電圧ＶＢＵＳを受け取った場合、オンを表す電圧検出信号ＶＢＵＳＤＥＴ「１」をＵＳＢハブ３１２に出力する。
【００４０】
ＵＳＢスイッチ３０２の入力端子Ａ、Ｂ、Ｃは、それぞれ、ＳＴＢ１０２組み込みの電子機器、ＰＣ１０４、ＰＣ１０６からのタッチパネル信号ＳＩＧＴＰを入力するための端子である。ＵＳＢスイッチ３０２の出力端子Ｙは、タッチパネル信号ＳＩＧＴＰをＵＳＢ信号としてＵＳＢハブ３１２の入力端子Ｈ（ホスト側）に出力するための端子である。
【００４１】
ＵＳＢスイッチ３０２は、オープン状態を表す選択信号ＵＳＢＳＥＬ「１１」をスケーラー３０６から受け取った場合、ホスト側（ＳＴＢ１０２組み込みの電子機器、ＰＣ１０４、ＰＣ１０６）をオープン状態にする。
【００４２】
ＵＳＢスイッチ３０２は、切替対象の電子機器として、ＳＴＢ１０２組み込みの電子機器、ＰＣ１０４、ＰＣ１０６のいずれかからのタッチパネル信号ＳＩＧＴＰを受け取ったときに、その切替対象の電子機器を表す選択信号ＵＳＢＳＥＬをスケーラー３０６から受け取った場合、タッチパネル信号ＳＩＧＴＰをＵＳＢ信号としてＵＳＢハブ３１２に出力する。
【００４３】
ＵＳＢハブ３１２の第１、第２の出力端子Ｄ（デバイス側）は、ＵＳＢ信号を出力するための端子であり、それぞれドングル４０２、タッチパネルコントローラ４０４と接続されている。ＵＳＢハブ３１２は、オフを表す電圧検出信号ＶＢＵＳＤＥＴ「０」をダイオードＯＲ回路３０４から受け取った場合、ドングル４０２、タッチパネルコントローラ４０４に対するＵＳＢ信号の出力を停止する。
【００４４】
ＵＳＢハブ３１２は、オンを表す電圧検出信号ＶＢＵＳＤＥＴ「１」をダイオードＯＲ回路３０４から受け取ったときに、ＵＳＢスイッチ３０２からＵＳＢ信号を受け取った場合、ＵＳＢ信号をドングル４０２、タッチパネルコントローラ４０４に出力する。
【００４５】
電圧出力スイッチ部ＨＳＷ１、ＨＳＷ２は、オフを表す電圧出力許可信号ＵＳＢＰＯＷ０「０」をスケーラー３０６から受け取った場合、それぞれ、電圧をドングル４０２、タッチパネルコントローラ４０４に出力しない。
【００４６】
電圧出力スイッチ部ＨＳＷ１、ＨＳＷ２は、オンを表す電圧出力許可信号ＵＳＢＰＯＷ０「１」をスケーラー３０６から受け取った場合、それぞれ、電圧をドングル４０２、タッチパネルコントローラ４０４に出力する。タッチパネルコントローラ４０４に出力される電圧は、ＵＳＢの規格において、タッチパネル２０４を動作させるための５Ｖである。
【００４７】
［１．４  処理の流れ］
続いて、本実施形態における処理の流れについて、図４を参照して説明する。図４は、第１実施形態に係る切替機能付き映像信号処理システムの動作として、映像入力切替処理を示すフローチャートである。
【００４８】
まず、リモートコントローラなどの操作により、映像信号ＳＩＧＡＶの入力切替、および、デバイス側（タッチペン２０２、タッチパネル２０４）のＵＳＢホスト切替が発生する（ステップＳ１００）。
【００４９】
切替機能付き映像信号処理装置４００は、デバイス側（タッチペン２０２、タッチパネル２０４）のＵＳＢホスト切替の準備として、デバイス側の電源をオフする（ステップＳ１０２）。すなわち、スケーラー３０６は、オフを表す電圧出力許可信号ＵＳＢＰＯＷ０「０」を電圧出力スイッチ部ＨＳＷ１、ＨＳＷ２に出力する。この場合、電圧出力スイッチ部ＨＳＷ１、ＨＳＷ２は、スケーラー３０６からの電圧出力許可信号ＵＳＢＰＯＷ０「０」に応じて、それぞれ、電圧をドングル４０２、タッチパネルコントローラ４０４に出力しない。
【００５０】
次に、切替機能付き映像信号処理装置４００は、ＵＳＢハブ３１２への接続をオフする（ステップＳ１０４）。例えば、スケーラー３０６は、対象の電子機器がＰＣ１０４からＰＣ１０６に切り替えられた場合、オフを表す電圧出力許可信号ＵＳＢＰＯＷ１「０」をダイオードＯＲ回路３０４に出力する。ダイオードＯＲ回路３０４は、スケーラー３０６からの電圧出力許可信号ＵＳＢＰＯＷ１「０」に応じて、オフを表す電圧検出信号ＶＢＵＳＤＥＴ「０」をＵＳＢハブ３１２に出力する。
【００５１】
次に、切替機能付き映像信号処理装置４００は、ホスト側（ＳＴＢ１０２組み込みの電子機器、ＰＣ１０４、ＰＣ１０６）のＵＳＢスイッチ３０２をオープン状態にする（ステップＳ１０６）。例えば、スケーラー３０６は、対象の電子機器がＰＣ１０４からＰＣ１０６に切り替えられた場合、オープン状態を表す選択信号ＵＳＢＳＥＬ「１１」をＵＳＢスイッチ３０２に出力する。この場合、ＵＳＢスイッチ３０２は、スケーラー３０６からの選択信号ＵＳＢＳＥＬ「１１」に応じて、ホスト側（ＳＴＢ１０２組み込みの電子機器、ＰＣ１０４、ＰＣ１０６）をオープン状態にする。
【００５２】
スケーラー３０６は、ＰＣ１０６から映像信号ＳＩＧＡＶを入力したときに、ＰＣ１０６からの映像信号ＳＩＧＡＶが安定するか否かを確認する（ステップＳ１０８）。スケーラー３０６は、ＰＣ１０６からの映像信号ＳＩＧＡＶの解像度とフレームレートとを確認するまで、ステップＳ１０８を行なう（ステップＳ１０８−Ｎｏ）。
【００５３】
スケーラー３０６は、ＰＣ１０６からの映像信号ＳＩＧＡＶの解像度とフレームレートとを確認した場合、ＰＣ１０６からの映像信号ＳＩＧＡＶが安定したと判定する（ステップＳ１０８−Ｙｅｓ）。
【００５４】
この場合、切替機能付き映像信号処理装置４００は、ＵＳＢハブ３１２への接続をオンする（ステップＳ１１０）。すなわち、スケーラー３０６は、ＰＣ１０６からの映像信号ＳＩＧＡＶが安定した場合、オンを表す電圧出力許可信号ＵＳＢＰＯＷ１「１」をダイオードＯＲ回路３０４に出力する。ダイオードＯＲ回路３０４は、オンを表す電圧出力許可信号ＵＳＢＰＯＷ１「１」をスケーラー３０６から受け取り、かつ、切替対象の電子機器（ＰＣ１０６）から電圧ＶＢＵＳを受け取った場合、オンを表す電圧検出信号ＶＢＵＳＤＥＴ「１」をＵＳＢハブ３１２に出力する。
【００５５】
次に、切替機能付き映像信号処理装置４００は、ホスト側（ＳＴＢ１０２組み込みの電子機器、ＰＣ１０４、ＰＣ１０６）のＵＳＢスイッチ３０２を切替対象の電子機器（ＰＣ１０６）に切り替える（ステップＳ１１２）。すなわち、スケーラー３０６は、ＰＣ１０６からの映像信号ＳＩＧＡＶが安定した場合、切替対象の電子機器としてＰＣ１０６を表す選択信号ＵＳＢＳＥＬ「１０」をＵＳＢスイッチ３０２に出力する。ＵＳＢスイッチ３０２は、切替対象の電子機器（ＰＣ１０６）からのタッチパネル信号ＳＩＧＴＰを受け取ったときに、選択信号ＵＳＢＳＥＬ「１０」をスケーラー３０６から受け取った場合、タッチパネル信号ＳＩＧＴＰをＵＳＢ信号としてＵＳＢハブ３１２に出力する。ＵＳＢハブ３１２は、オンを表す電圧検出信号ＶＢＵＳＤＥＴ「１」をダイオードＯＲ回路３０４から受け取って、ＵＳＢスイッチ３０２からＵＳＢ信号を受け取った場合、ＵＳＢ信号をドングル４０２、タッチパネルコントローラ４０４に出力する。
【００５６】
次に、切替機能付き映像信号処理装置４００は、デバイス側（タッチペン２０２、タッチパネル２０４）の電源をオンする（ステップＳ１１４）。すなわち、スケーラー３０６は、ＰＣ１０６からの映像信号ＳＩＧＡＶが安定した場合、オンを表す電圧出力許可信号ＵＳＢＰＯＷ０「１」を電圧出力スイッチ部ＨＳＷ１、ＨＳＷ２に出力し、ＰＣ１０６からの映像信号ＳＩＧＡＶをＬＣＤタイミングコントローラ４０６に出力する。この場合、電圧出力スイッチ部ＨＳＷ１、ＨＳＷ２は、スケーラー３０６からの電圧出力許可信号ＵＳＢＰＯＷ０「１」に応じて、それぞれ、電圧をドングル４０２、タッチパネルコントローラ４０４に出力する。
【００５７】
次に、切替機能付き映像信号処理装置４００は、映像信号ＳＩＧＡＶの入力切替、および、デバイス側（タッチペン２０２、タッチパネル２０４）のＵＳＢホスト切替を完了する（ステップＳ１１６）。すなわち、デバイス側（タッチペン２０２、タッチパネル２０４）のＵＳＢホスト切替の完了として、ドングル４０２は、ＵＳＢハブ３１２からのＵＳＢ信号、および、電圧出力スイッチ部ＨＳＷ１からの電圧により、近距離無線通信をタッチペン２０２と行なう。タッチパネルコントローラ４０４は、ＵＳＢハブ３１２からのＵＳＢ信号、および、電圧出力スイッチ部ＨＳＷ２からの電圧により動作するように、タッチパネル２０４を制御する。また、映像信号ＳＩＧＡＶの入力切替の完了として、スケーラー３０６は、ＰＣ１０６からの映像信号ＳＩＧＡＶが安定したことにより、ＰＣ１０６からの映像信号ＳＩＧＡＶをＬＣＤタイミングコントローラ４０６に出力する。この場合、ＬＣＤタイミングコントローラ４０６は、スケーラー３０６からの映像信号ＳＩＧＡＶが表示されるように、ＬＣＤ２０６を制御する。
【００５８】
このように、第１実施形態に係る切替機能付き映像信号処理システムでは、対象の電子機器がＰＣ１０４からＰＣ１０６に切り替えられる。すなわち、映像信号ＳＩＧＡＶの出力が複数の電子機器（ＳＴＢ１０２組み込みの電子機器、ＰＣ１０４、ＰＣ１０６）のうちの第１の電子機器（ＰＣ１０４）から第２の電子機器（ＰＣ１０６）に切り替わったときに、スケーラー３０６は、第２の電子機器（ＰＣ１０６）からの映像信号ＳＩＧＡＶが安定するか否かを判定する。ここで、スケーラー３０６は、第２の電子機器（ＰＣ１０６）からの映像信号ＳＩＧＡＶの解像度、フレームレートの少なくとも１つを確認した場合に、第２の電子機器（ＰＣ１０６）からの映像信号ＳＩＧＡＶが安定したものと判定する。この場合、スケーラー３０６は、デバイス２００（タッチペン２０２、タッチパネル２０４）との接続が第１の電子機器（ＰＣ１０４）から第２の電子機器（ＰＣ１０６）に切り替わるように接続部（ＵＳＢスイッチ３０２、ダイオードＯＲ回路３０４、ＵＳＢハブ３１２、電圧出力スイッチ部ＨＳＷ１、ＨＳＷ２、ドングル４０２、タッチパネルコントローラ４０４）を制御する。
【００５９】
したがって、第１実施形態に係る切替機能付き映像信号処理システムによれば、複数の電子機器（ＳＴＢ１０２組み込みの電子機器、ＰＣ１０４、ＰＣ１０６）のうちの１つの電子機器（ＰＣ１０６）とデバイス２００（タッチペン２０２、タッチパネル２０４）とを接続する際に、デバイス２００（タッチペン２０２、タッチパネル２０４）が正常に動作するように複数の電子機器（ＳＴＢ１０２組み込みの電子機器、ＰＣ１０４、ＰＣ１０６）を切り替えることができる。
【００６０】
［２．  第２実施形態］
続いて、第２実施形態について説明する。第２実施形態では、映像信号の出力が複数の電子機器（ＳＴＢ１０２組み込みの電子機器、ＰＣ１０４、ＰＣ１０６）のうちの第１の電子機器（ＰＣ１０４）から第２の電子機器に切り替わったときに、第２の電子機器からの映像信号が安定するか否かを判定し、第２の電子機器からの映像信号が安定した場合に、デバイス２００（タッチペン２０２、タッチパネル２０４）との接続を第１の電子機器（ＰＣ１０４）から第２の電子機器に切り替える。第２実施形態において、第２の電子機器からの映像信号が安定した場合とは、第２の電子機器が、コントローラ（ＳＴＢ１０２）組み込みの電子機器であるときに、コントローラ（ＳＴＢ１０２）からの制御信号を検知した場合である。第２実施形態では、第１実施形態と同一の処理については、同一の符号を付すことにより、その詳細な説明を省略する。
【００６１】
図５は、第２実施形態に係る切替機能付き映像信号処理システムの構成を示すブロック図である。ＳＴＢ１０２などのコントローラが組み込まれた電子機器は、タッチパネル信号ＳＩＧＴＰ、電圧ＶＢＵＳ、映像信号ＳＩＧＡＶを出力すると共に、制御信号ＳＩＧＣＲを出力する。制御信号ＳＩＧＣＲとしては、ＵＡＲＴ（Universal Asynchronous Receiver Transmitter）などの非同期シリアル通信の信号が例示される。
【００６２】
コントローラ（ＳＴＢ１０２）と切替機能付き映像信号処理装置４００の切替機能付き映像信号処理基板３００とは、例えば、ＲＳ−２３２Ｃなどのインタフェースにより接続されている。この場合、制御信号ＳＩＧＣＲであるＵＡＲＴの信号は、ＲＳ−２３２Ｃの信号に変換される。切替機能付き映像信号処理基板３００では、例えば、対象の電子機器が、ＰＣ１０４から、コントローラ（ＳＴＢ１０２）組み込みの電子機器に切り替えられて、コントローラ（ＳＴＢ１０２）からの制御信号ＳＩＧＣＲが検知された場合に、コントローラ（ＳＴＢ１０２）組み込みの電子機器からのタッチパネル信号ＳＩＧＴＰがＵＳＢ信号としてドングル４０２、タッチパネルコントローラ４０４に出力され、コントローラ（ＳＴＢ１０２）組み込みの電子機器からの映像信号ＳＩＧＡＶがＬＣＤタイミングコントローラ４０６に出力される。
【００６３】
続いて、本実施形態における処理の流れについて、図６を参照して説明する。図６は、第２実施形態に係る切替機能付き映像信号処理システムの動作として、映像入力切替処理を示すフローチャートである。
【００６４】
まず、ステップＳ１００〜Ｓ１０６が実行される。このとき、例えば、対象の電子機器がＰＣ１０４からＰＣ１０６に切り替えられている場合、すなわち、切替対象の電子機器が、コントローラ（ＳＴＢ１０２）組み込みの電子機器ではない場合（ステップＳ２００−Ｎｏ）、ステップＳ１０８以降が実行される。
【００６５】
一方、例えば、対象の電子機器が、ＰＣ１０４から、コントローラ（ＳＴＢ１０２）組み込みの電子機器に切り替えられている場合、すなわち、切替対象の電子機器が、コントローラ（ＳＴＢ１０２）組み込みの電子機器である場合（ステップＳ２００−Ｙｅｓ）、スケーラー３０６は、コントローラ（ＳＴＢ１０２）組み込みの電子機器の準備が完了したか否かを確認する（ステップＳ２０２）。スケーラー３０６は、コントローラ（ＳＴＢ１０２）組み込みの電子機器の準備が完了するまで、ステップＳ２０２を行なう（ステップＳ２０２−Ｎｏ）。
【００６６】
スケーラー３０６は、コントローラ（ＳＴＢ１０２）からの制御信号ＳＩＧＣＲを検知した場合、コントローラ（ＳＴＢ１０２）組み込みの電子機器の準備が完了したものとする（ステップＳ２０２−Ｙｅｓ）。その場合、ステップＳ１０８以降が実行される。
【００６７】
このように、第２実施形態に係る切替機能付き映像信号処理システムでは、対象の電子機器が、ＰＣ１０４から、コントローラ（ＳＴＢ１０２）組み込みの電子機器に切り替えられる。すなわち、映像信号ＳＩＧＡＶの出力が複数の電子機器（ＳＴＢ１０２組み込みの電子機器、ＰＣ１０４、ＰＣ１０６）のうちの第１の電子機器（ＰＣ１０４）から第２の電子機器に切り替わったときに、スケーラー３０６は、第２の電子機器からの映像信号ＳＩＧＡＶが安定するか否かを判定する。ここで、スケーラー３０６は、第２の電子機器が、コントローラ（ＳＴＢ１０２）組み込みの電子機器であるときに、コントローラ（ＳＴＢ１０２）からの制御信号ＳＩＧＣＲを検知した場合に、第２の電子機器（コントローラ（ＳＴＢ１０２）組み込みの電子機器）からの映像信号ＳＩＧＡＶが安定したものと判定する。この場合、スケーラー３０６は、デバイス２００（タッチペン２０２、タッチパネル２０４）との接続が第１の電子機器（ＰＣ１０４）から第２の電子機器（コントローラ（ＳＴＢ１０２）組み込みの電子機器）に切り替わるように接続部（ＵＳＢスイッチ３０２、ダイオードＯＲ回路３０４、ＵＳＢハブ３１２、電圧出力スイッチ部ＨＳＷ１、ＨＳＷ２、ドングル４０２、タッチパネルコントローラ４０４）を制御する。
【００６８】
したがって、第２実施形態に係る切替機能付き映像信号処理システムによれば、複数の電子機器（ＳＴＢ１０２組み込みの電子機器、ＰＣ１０４、ＰＣ１０６）のうちの１つの電子機器（コントローラ（ＳＴＢ１０２）組み込みの電子機器）とデバイス２００（タッチペン２０２、タッチパネル２０４）とを接続する際に、デバイス２００（タッチペン２０２、タッチパネル２０４）が正常に動作するように複数の電子機器（ＳＴＢ１０２組み込みの電子機器、ＰＣ１０４、ＰＣ１０６）を切り替えることができる。
【００６９】
［３．  第３実施形態］
続いて、第３実施形態について説明する。第３実施形態において、第２の電子機器からの映像信号が安定した場合とは、所定時間が経過した場合である。
【００７０】
所定時間は、第１実施形態においては、第２の電子機器（ＰＣ１０６）からの映像信号ＳＩＧＡＶが安定するまでの時間に相当し、第２実施形態においては、第２の電子機器がコントローラ（ＳＴＢ１０２）組み込みの電子機器である場合に、コントローラ（ＳＴＢ１０２）からの制御信号を検知するまでの時間に相当する。
【００７１】
続いて、本実施形態における処理の流れについて、図７を参照して説明する。図７は、第３実施形態に係る切替機能付き映像信号処理システムの動作として、映像入力切替処理を示すフローチャートである。
【００７２】
まず、ステップＳ１００〜Ｓ１０６が実行される。このとき、スケーラー３０６は、所定時間が経過したか否かを確認する（ステップＳ３００）。スケーラー３０６は、所定時間が経過するまで、ステップＳ３００を行なう（ステップＳ３００−Ｎｏ）。所定時間が経過した場合（ステップＳ３００−Ｙｅｓ）、ステップＳ１１０以降が実行される。
【００７３】
このように、第３実施形態に係る切替機能付き映像信号処理システムでは、映像信号ＳＩＧＡＶの出力が複数の電子機器（ＳＴＢ１０２組み込みの電子機器、ＰＣ１０４、ＰＣ１０６）のうちの第１の電子機器（ＰＣ１０４）から第２の電子機器に切り替わったときに、スケーラー３０６は、第２の電子機器からの映像信号ＳＩＧＡＶが安定するか否かを判定する。ここで、スケーラー３０６は、所定時間が経過した場合に、第２の電子機器からの映像信号ＳＩＧＡＶが安定したものと判定する。この場合、スケーラー３０６は、デバイス２００（タッチペン２０２、タッチパネル２０４）との接続が第１の電子機器（ＰＣ１０４）から第２の電子機器に切り替わるように接続部（ＵＳＢスイッチ３０２、ダイオードＯＲ回路３０４、ＵＳＢハブ３１２、電圧出力スイッチ部ＨＳＷ１、ＨＳＷ２、ドングル４０２、タッチパネルコントローラ４０４）を制御する。
【００７４】
したがって、第３実施形態に係る切替機能付き映像信号処理システムによれば、複数の電子機器（ＳＴＢ１０２組み込みの電子機器、ＰＣ１０４、ＰＣ１０６）のうちの１つの電子機器（ＰＣ１０６、または、コントローラ（ＳＴＢ１０２）組み込みの電子機器）とデバイス２００（タッチペン２０２、タッチパネル２０４）とを接続する際に、デバイス２００（タッチペン２０２、タッチパネル２０４）が正常に動作するように複数の電子機器（ＳＴＢ１０２組み込みの電子機器、ＰＣ１０４、ＰＣ１０６）を切り替えることができる。
【００７５】
［４．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【００７６】
また、上述した実施形態は、説明した以外にも、矛盾のない範囲において適宜組み合わせて実行しても良いことは勿論である。
【００７７】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００７８】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００７９】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００８０】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【００８１】
１００  …  電子機器（ホスト）
１０２  …  ＳＴＢ
１０４  …  ＰＣ
１０６  …  ＰＣ
２００  …  デバイス
２０２  …  タッチペン
２０４  …  タッチパネル
２０６  …  ＬＣＤ
３００  …  切替機能付き映像信号処理基板
３０２  …  ＵＳＢスイッチ
３０４  …  ダイオードＯＲ回路
３０６  …  スケーラー
３０８  …  ＲＡＭ
３１０  …  ＲＯＭ
３１２  …  ＵＳＢハブ
４００  …  切替機能付き映像信号処理装置
４０２  …  ドングル
４０４  …  タッチパネルコントローラ
４０６  …  ＬＣＤタイミングコントローラ
ＨＳＷ１  …  電圧出力スイッチ部
ＨＳＷ２  …  電圧出力スイッチ部
ＳＩＧＡＶ  …  映像信号
ＳＩＧＴＰ  …  タッチパネル信号
ＵＳＢＰＯＷ０  …  電圧出力許可信号
ＵＳＢＰＯＷ１  …  電圧出力許可信号
ＵＳＢＳＥＬ  …  選択信号
ＶＢＵＳ  …  電圧
ＶＢＵＳＤＥＴ  …  電圧検出信号
【図１】
0006716355.tif 000002
【図２】
0006716355.tif 000003
【図３】
0006716355.tif 000004
【図４】
0006716355.tif 000005
【図５】
0006716355.tif 000006
【図６】
0006716355.tif 000007
【図７】
0006716355.tif 000008